(57)【要約】      （修正有）【課題】化粧品等の品質の劣化を少なくし、鏡への結露や曇りを防止でき、さらに美容に効果的なマイナスイオンの空間を作り出す保冷庫付化粧台を提供する。【解決手段】化粧品等を収納する収納部１１と鏡２０を一体又は一対で形成する化粧台１０において、化粧品等の該収納部には冷却装置３５による保冷庫３０を備えることにより、化粧品の品質維持を図る。さらに、該冷却装置３５から排出される熱を放熱ファン４０やヒートパイプ４１等により該鏡に伝導することにより、鏡の曇り防止を図る。また、放熱ファンによる送風経路にマイナスイオン発生装置５０を設け、化粧台前面にマイナスイオンを送出させることにより、美容促進を図る。【選択図】  図１
2004181192.tif 000002
【特許請求の範囲】
【請求項１】
化粧品等を収納する収納部と、鏡を一体又は一対で形成する化粧台において、化粧品を収納する該収納部の一部に冷却装置による保冷庫を備え、かつ、該冷却装置の排熱を利用して該鏡の曇り防止機能を有することを特徴とする化粧台。
【請求項２】
前記排熱のために送風装置を有し、前記鏡の前面又は背面又は両面に送風することを特徴とする、請求項１に記載の化粧台。
【請求項３】
前記排熱のために、熱を移送するためのヒートパイプを有し、該排熱部から前記鏡の背面にヒートパイプが配設される構造を特徴とする、請求項１に記載の化粧台。
【請求項４】
前記排熱のために、熱を移送するためのヒートパイプを有し、かつ、該ヒートパイプで移送された熱を前記鏡の前面又は背面又は両面に送風するための送風装置を有することを特徴とする、請求項１に記載の化粧台。
【請求項５】
前記冷却装置による保冷庫において、通電により熱を発生する発熱面と熱を吸収する吸熱面を有する熱電モジュールを利用することを特徴とする、請求項１又は請求項２又は請求項３又は請求項４に記載の化粧台。
【請求項６】
前記化粧台において、マイナスイオン発生装置を有することを特徴とする、請求項１又は請求項２又は請求項３又は請求項４又は請求項５に記載の化粧台。
【発明の詳細な説明】
【０００１】
【発明の属する技術分野】本発明は、冷却装置による保冷庫を備えた化粧台に関する。
【０００２】
【従来の技術】従来より、化粧品を収納する収納箱には、化粧台や洗面化粧台等が広く利用されている。
【０００３】しかし、従来の収納箱では化粧品部分が温度管理されず、化粧品の品質を劣化させる要因があった。
【０００４】また、収納箱と一体あるいは対を形成して鏡を備える化粧台や洗面化粧台が一般に利用されているが、鏡が湿気などで曇る場合があり、化粧品を利用する上で不便な場合があった。
【０００５】
【発明が解決しようとする課題】本発明は、化粧品の品質を維持し、かつ、鏡を曇りにくくし、さらに、肌や髪の美容に効果的なイオンを発生する化粧台を提供するものである。
【０００６】
【課題を解決するための手段】上述の目的を達成するために、本発明は以下６項の手段により課題を解決した。
【０００７】請求項１の発明は、化粧品等を収納する収納部と、鏡を一体又は一対で形成する化粧台において、化粧品を収納する該収納部の一部に冷却装置による保冷庫を備え、かつ、該冷却装置の排熱を利用して該鏡の曇り防止機能を有することによるものである。
【０００８】請求項２の発明は、前記排熱のために送風装置を有し、前記鏡の前面又は背面又は両面に送風することによるものである。
【０００９】請求項３の発明は、前記排熱のために、熱を移送するためのヒートパイプを有し、該排熱部から前記鏡の背面にヒートパイプが配設される構造によるものである。
【００１０】請求項４の発明は、前記排熱のために、熱を移送するためのヒートパイプを有し、かつ、該ヒートパイプで移送された熱を前記鏡の前面又は背面又は両面に送風するための送風装置を有することによるものである。
【００１１】請求項５の発明は、前記冷却装置による保冷庫において、通電により熱を発生する発熱面と熱を吸収する吸熱面を有する熱電モジュールを利用することによるものである。
【００１２】請求項６の発明は、前記化粧台において、マイナスイオン発生装置を有することによるものである。
【００１３】
【発明の実施の形態】以下、本発明の実施の形態について図面を参照しながら詳細に説明する。
【００１４】図１は本発明の保冷庫付化粧台の一実施形態について概略構成を示す図であり、（ａ）は正面図、（ｂ）はＡ−Ａ断面図である。
【００１５】本実施形態の保冷庫付化粧台は図１に示すように化粧台１０と鏡２０が一体又は対を形成して配置され、化粧台１０に化粧品等１００を収納する収納部１１を有しており、その一部又は全部に、全周囲又は一部を断熱材３４で囲った保冷庫３０を備えている。この保冷庫に化粧品等を保管することで温度を一定に保ち、品質の劣化を少なくできる。
【００１６】該保冷庫の内側一面又は複数面に冷却板３１を配し、放熱用フィン３２及び熱電モジュール３３を有する冷却装置３５を配設している。該冷却装置の放熱用フィン３２から排出される熱を放熱ファン４０によって鏡２０の前面又は背面又は両面に送風するよう放熱ファン４０を配設する。これによって、鏡２０表面を周囲の外気よりも高い温度に保つことができ、周囲空間の急な温度湿度変化によっても鏡２０の面で結露することなく、曇りを防止できる。
【００１７】図２は、該冷却装置３５の放熱用フィン３２から熱を移送するためのヒートパイプ４１を該鏡２０の背面に沿わせて配設する構造であり、該ヒートパイプが移送する熱が鏡２０に伝導することで鏡２０表面から放熱し、さらに鏡２０表面を周囲の外気よりも高い温度に保つことができ、これによって鏡２０表面の結露や曇りを防止できる。
【００１８】図３は、該冷却装置３５の放熱用フィン３２から熱を移送するためのヒートパイプ４１を該鏡２０の下部又は側部に配設し、ヒートパイプ４１に設けたフィン４２を介して放熱ファン４０によって鏡２０の前面又は背面又は両面に送風する。これによって鏡２０表面を周囲の外気よりも高い温度に保つことができ、鏡２０表面の結露や曇りを防止できる。
【００１９】また、放熱ファン４０による送風経路にマイナスイオン発生装置５０を配設し、送風経路上でマイナスイオンを発生させ、化粧台前面に送出させることで、前面の空間に美容を促進させる効果をもたらすことができる。
【００２０】
【発明の効果】以上説明したように、本発明に係る保冷庫付化粧台によれば、化粧品等の品質の劣化を小さくし、かつ、鏡への結露や曇りを防止できる。さらに美容に効果的なマイナスイオンの空間を提供できる。
【図面の簡単な説明】
【図１】本発明の保冷庫付化粧台の一実施形態について概略構成を示す図である。
【図２】本発明の保冷庫付化粧台の一実施形態における、ヒートパイプ配設の概略構成を示す図である。
【図３】本発明の保冷庫付化粧台の一実施形態における、ヒートパイプと放熱ファン配設の概略構成を示す図である。
【符号の説明】
１０    化粧台
１１    収納部
２０    鏡
３０    保冷庫
３１    冷却板
３２    放熱用フィン
３３    熱電モジュール
３４    断熱材
３５    冷却装置
４０    放熱ファン
４１    ヒートパイプ
４２    フィン
５０    マイナスイオン発生装置
１００  化粧品等
【図１】
2004181192.tif 000003
【図２】
2004181192.tif 000004
【図３】
2004181192.tif 000005